(57)【要約】      （修正有）【課題】用土内の空気の流通をよりよいものとして植物をより安定して生育することができるプランター用すのこ状部材、このプランター用すのこ状部材を備えたプランターおよびこのプランターを備えた植物栽培装置を提供する。【解決手段】水抜き孔を有する基板部11と、基板部11の下方に突出するスリットを有する脚部12と、基板部11の上方に突出するスリットを有する通気用凸部13を備えたすのこ状部材１を、プランター本体21の基板部11と、プランター本体21の底の間に水抜き空間Ｓを形成するように装着し、プランター2の上方にＬＥＤ照明装置５を配置し、プランター２に植えられた植物に光を照射できるようにしたプランター用すのこ状部材１およびプランター２を備えた植物栽培装置。【選択図】図３
2016202138.tif 000002
【特許請求の範囲】
【請求項１】
水抜き孔を備えるとともに、プランターの底との間に水抜き空間を形成する基板部と、この基板部から下方に延出する複数の脚部とを備えるプランター用すのこ状部材であって、
前記水抜き空間と、基板部上方空間に連通する少なくとも１つの隙間を有する凸部が、前記基板部の上方に突出するように設けられていることを特徴とするプランター用すのこ状部材。
【請求項２】
請求項１に記載のプランター用すのこ状部材が基板部と底との間に水抜き空間を形成するように敷かれているとともに、底部に水抜き孔を有するプランター本体を備えることを特徴とするプランター。
【請求項３】
請求項２に記載のプランターと、このプランターが載置される載置部と、載置部に載置されたプランターの上方に配置され、前記プランター内で植栽される植物の生育を助長する光を照射する照射手段を備えることを特徴とする植物栽培装置。
【発明の詳細な説明】
【技術分野】
【０００１】
本発明は、プランター用すのこ状部材、プランターおよび植物栽培装置に関する。
【背景技術】
【０００２】
プランター（植木鉢）には、従来からプランター用すのこ状部材（中敷とも称される）が用いられることが多い（特許文献１参照）。
そして、上記プランター用すのこ状部材は、水抜き孔を備えた基板部と、この基板部から下方に延出する複数の脚部とを備え、プランター内に装着されて、基板部および脚部によってプランターの底と基板部の間に水抜き空間を形成するようになっている。
【０００３】
すなわち、プランター内の植栽用土を基板部で受け、必要吸水量以上の水が給水されたとき、余剰の水が基板部に設けられた水抜き孔や脚部に設けられた水抜き孔を介して水抜き空間に抜け出て、用土が水浸し状態となり、空気の流通がわるくなって、植物が根腐れを起こすなどの植物の生育不良を招くことのないようにしている。
【先行技術文献】
【特許文献】
【０００４】
【特許文献１】特開平7-132023号公報
【発明の概要】
【発明が解決しようとする課題】
【０００５】
しかし、上記のようなプランター用すのこ状部材においても、用土の空気の流通が十分に良好になっているとはいえない。
【０００６】
本発明は、上記事情に鑑みて、従来のプランター用すのこ状部材に比べ、用土内の空気の流通をよりよいものとして植物をより安定して生育することができるプランター用すのこ状部材、このプランター用すのこ状部材を備えたプランターおよびこのプランターを備えた植物栽培装置を提供することを目的としている。
【課題を解決するための手段】
【０００７】
上記目的を達成するために、本発明にかかるプランター用すのこ状部材（以下、「本発明のすのこ状部材」と記す）は、水抜き孔を備えるとともに、プランターの底との間に水抜き空間を形成する基板部と、この基板部から下方に延出する複数の脚部とを備えるプランター用すのこ状部材であって、前記水抜き空間と、基板部上方空間に連通する少なくとも１つの隙間を有する凸部が、前記基板部の上方に突出するように設けられていることを特徴としている。
【０００８】
本発明にかかるプランター（以下、「本発明のプランター」と記す）は、上記本発明のすのこ状部材が基板部と底との間に水抜き空間を形成するように敷かれているとともに、底部に水抜き孔を有するプランター本体を備えることを特徴としている。
上記すのこ状部材は、１つで基板部がプランター本体の底全面を覆うような大きさをしていても構わないし、複数のすのこ状部材を敷き並べるようにしても構わない。
【０００９】
プランターに用いられる用土は、特に限定されないが、「ピートモス」など粘土質でないものを使用することが好ましい。
すなわち、粘土質の土は、水をやりすぎて土と混ざると泥となってプランター底に貯まり、常に濡れた状態となって根腐れの可能性がある。したがって、粘土質の土を利用する場合は鉢底ネットの上に更に底石を入れることが好ましい。
【００１０】
本発明にかかる植物栽培装置は（以下、「本発明の植物栽培装置」と記す）、上記本発明プランターと、このプランターが載置される載置部と、載置部に載置されたプランターの上方に配置され、前記プランター内で植栽される植物の生育を助長する光を照射する照射手段を備えることを特徴としている。
【００１１】
本発明の植物栽培装置において、特に限定されないが、室内での植物の育成用として好適に用いられる。
また、本発明の植物栽培装置で栽培される植物としては、特に限定されないが、例えば、ハーブと葉野菜全般及び矮性（支柱が不要）の実物野菜などの食用となるが挙げられる。
【００１２】
具体的には、ベビーリーフ、ラディッシュ、リーフレタス、からし菜、クレソン、パセリ、ミニトマト、ズッキーニ、タイムやローズマリーなどが挙げられる。
また、プランターには、一種類の植物のみではなく、短いサイクルで収穫を楽しめるように、成長の早いものと長いものを混ぜて植えると良い。
因みに、ベビーリーフ、ラディッシュは、２０日ほどで収穫でき、リーフレタス、からし菜などは３０〜４０日で収穫でき、クレソン、パセリなどは、苗を植えれば１０日目頃から収穫でき、矮性のミニトマトやズッキーニは６０〜７０日で収穫できる。
【００１３】
上記照射手段としては、電力消費が少ないことからＬＥＤランプを光源として用いたものが好ましい。
また、光源から照射される光は、植物に応じて特に限定されないが、一般的には太陽光に近いものが好ましい。
【発明の効果】
【００１４】
本発明のすのこ状部材は、上記のように、水抜き孔を備えるとともに、プランターの底との間に水抜き空間を形成する基板部と、この基板部から下方に延出する複数の脚部とを備えるプランター用すのこ状部材であって、前記水抜き空間と、基板部上方空間に連通する少なくとも１つの隙間を有する凸部が、前記基板部の上方に突出するように設けられているので、従来のプランター用すのこ状部材に比べ、用土内の通気性が向上する。
すなわち、凸部に設けられた隙間が、プランター内に充填された用土内の通気を助けて、植物の根に常にうまく空気を供給し、植物を良好に生育させることができる。
【００１５】
本発明のプランターは、上記本発明のすのこ状部材を用いるようにしたので、用土をプランター内に充填し、植物を植えることによって、容易に植物を生育させることができる。
【００１６】
本発明の植物栽培装置は、載置部に載置されたプランターの上方に照射手段が配置され、照射手段から、プランター内で植栽される植物の生育を助長する光を照射することができるので、室内でも良好に植物を生育させることができる。しかも、照射手段によって、植物が明るく映し出されるため、部屋のインテリアとしても用いることができる。
【図面の簡単な説明】
【００１７】
【図１】本発明のすのこ状部材の１つの実施の形態をあらわす斜視図である。
【図２】本発明の植物栽培装置の１つの実施の形態をあらわす斜視図である。
【図３】図２の植物栽培装置の断面図である。
【図４】図２の植物栽培装置の底面図である。
【図５】図２の植物栽培装置のＬＥＤ照明装置の底面図である。
【図６】図２の植物栽培装置の使用状態の斜視図である。
【発明を実施するための形態】
【００１８】
以下に、本発明にかかる屋根構造体の実施の形態を図面を参照しつつ詳しく説明する。
図１は、本発明のすのこ状部材の１つの実施の形態をあらわしている。
【００１９】
図１に示すように、このすのこ状部材１は、基板部１１と、８つの脚部１２と、３つの通気用凸部１３を備えている。
基板部１１は、平面視略長方形をしていて、多数の水抜き孔１１ａを備えている。
【００２０】
脚部１２は、基板部１１から下方に突出するとともに、基板部１１側端部で開口する中空の略円錐台形状をしていて、周壁に水抜き用のスリット１２ａを備えている。
スリット１２ａは、円錐台の周方向に等ピッチで８つ形成されている。
【００２１】
通気用凸部１３は、基板部１１の上方に突出するとともに、基板部１１側端部で開口する中空の略円錐形状をしていて、周壁に通気用のスリット１３ａを備えている。
スリット１３ａは、円錐台の周方向に等ピッチで６つ形成されている。
【００２２】
図２および図３は、上記すのこ状部材１を用いた本発明のプランターおよびこのプランターを用いた植物栽培装置の１つの実施の形態をあらわしている。
図２および図３に示すように、このプランター２は、プランター本体２１と、２枚のすのこ状部材１を備えている。
【００２３】
プランター本体２１は、図３に示すように、フランジ部２２と、リブ２３と、排水孔２４を備えている。
リブ２３は、図３に示すように、すのこ状部材１の基板部１１の周縁を下方から受けて、基板部１１と、プランター本体２１の底面２１ａとの間に水抜き空間Ｓを形成するようになっている。
【００２４】
フランジ部２２には、後述する植物栽培装置３の照射手段としてのＬＥＤ照明装置５の支柱５２が嵌合する一対の嵌合凹部２２ａが設けられている。
排水孔２４は、プランター本体２１の底２１ａに設けられていて、取り外し可能な栓を有している。
すなわち、排水孔２４は、必要に応じて栓を取り外し、開放状態にすれば、プランター本体２１に溜まった水を抜くことができるようになっている。
【００２５】
この植物栽培装置３は、図２および図３に示すように、プランター２、プランター載置部となる支持脚部４と、ＬＥＤ照明装置５と、棚板６を備えている。
【００２６】
支持脚部４は、２本の固定脚４１と、２本の摺動脚４２を備えている。
２本の固定脚４１は、金属または樹脂製のパイプからなる脚本体４１ａと、脚本体４１ａの下端の装着されたゴムや樹脂エラストマーからなる脚キャップ４１ｂを備えている。
脚本体４１ａは、その上端部同士が上部連結パイプ４１ｃで連結され、その下端部同士が下部連結パイプ４１ｄで連結されている。
【００２７】
２本の摺動脚４２は、金属または樹脂製のパイプからなる脚本体４２ａと、脚本体４２ａの下端の装着されたキャスター輪４２ｂを備えている。
脚本体４２ａは、固定脚４１の連結パイプ４１ｃ、４１ｄと同じ高さ位置で上部連結パイプ４２ｃおよび下部連結パイプ４２ｄで連結されている。
また、上部連結パイプ４１ｃと上部連結パイプ４２ｃは、２本のプランター受けパイプ４３で連結され、下部連結パイプ４１ｄと下部連結パイプ４２ｄは、図４に示すように、２本の棚板受けパイプ４４で連結されている。
【００２８】
脚本体４１ａおよび脚本体４２ａは、プランター本体２１のフランジ部２２の四隅に裏側から嵌り込み、プランター本体２１および後述するＬＥＤ照明装置５の荷重をフランジ部２２の四隅で支持している。
プランター受けパイプ４３は、プランター本体２１の底を下側から受けている。
【００２９】
ＬＥＤ照明装置５は、装置本体５１と２本の支柱５２を備えている。
装置本体５１は、図８に示すように、ケーシング５１ａとＬＥＤライト５１ｂを備えている。
【００３０】
ケーシング５１ａは、防水性を備え、支柱５２が幅方向の両側から下方に向かうように装
着されている。
また、ケーシング５１ａは、ＬＥＤライト５１ｂの制御機器（図示せず）が内蔵されるとともに、２つのＬＥＤライト５１ｂが下面側に装着されている。
【００３１】
各ＬＥＤライト５１ｂは、この実施の形態では、２１個のＬＥＤが長手方向に１列に並ぶように設けられている。
ＬＥＤライト５１ｂは、特に限定されないが、植物の成長に必要な青と、オレンジ〜赤の波長の光線をバランスよく照射できるものを用いることが好ましい。
【００３２】
因みに、植物の成長（光合成）に欠かせない光の波長について述べると、赤色光線（６００〜６９０ｎｍ）は、植物の成長に必要（茎をのばすなど）で、青色光線（４２０〜４７０ｎｍ）は、葉を厚くし、茎を太くする（発芽〜育苗期）ために必要である。また、遠赤外線（７３０ｎｍ〜）は光合成が促進される（エマーソン効果）。
また、赤色波長の光線は、植物の成長を促すが、育苗期に赤色光線のみをあてると徒長する（茎が伸びすぎる）。青色波長の光線を加えることにより、葉や茎が厚みのある強い苗に成長し、収穫量の増加が期待できる。
【００３３】
なお、ＰＰＦＤ値は、特に限定されないが、２５０μｍｏｌ/ｓｍ-2以下でよい。
また、ＬＥＤライト５１ｂは、タイマー制御され、例えば、一定時間経過すると消灯するようにしてもよいし、所定時間ごとにＯＮ−ＯＦＦされるようになっていてもよい。
【００３４】
支柱５２は、上端がケーシング５１を支え、下端がプランター本体２１のフランジ部２２の上面に設けられた嵌合穴２２ａに嵌合してプランター本体２１に支持されている。
また、支柱５２は、上下方向に伸縮可能になっていて、伸縮させることによって、図６に示すように、植物７と、ＬＥＤライト５１ｂとの距離を植物の生育に応じて変更できるようになっている。なお、伸縮長さは、特に限定されないが、例えば、プランター本体２１の上端からＬＥＤライト５１ｂの下面までの長さを２０ｃｍ〜５５ｃｍの幅で変化させることができるとよい。
【００３５】
棚板６は、下部連結パイプ４１ｃ、下部連結パイプ４２ｃおよび棚板受けパイプ４４に受けられている。
【００３６】
上記植物栽培装置３は、以上のように、ＬＥＤ照明装置５によって、プランター２に植えられた植物７の生育を促進する光を照射できるようになっているので、室内でも植物７を良好に生育させることができるとともに、室内のインテリアとしても用いることができる。
この植物栽培装置３は、ＬＥＤランプ５１ｂを使用しているため、蛍光ランプに比べ、放熱が少なく、葉焼けしないとともに、消費電力も少なくて済む。
【００３７】
この植物栽培装置３は、プランター２のすのこ状部材１が、通気用凸部１３を備えているので、プランター本体２１に入れられた用土の通気性がよくなり、従来の脚部のみを備えたすのこ状部材を備えたプランターに比べ、植物を良好な生育環境を安定して保つことができる。
また、脚部１２が、スリット１２ａを備えているので、脚部１２の内部に入り込んだ土が、スリット１２ａを介して水抜き空間Ｓ内に貯まった水に接触するため、水抜き空間内に貯まった水が、基板部１１上方の土に毛細管現象により供給される。したがって、水遣りの手間を少なくすることができる。
【００３８】
この植物栽培装置３は、プランター本体２１が排水孔２４を備えているので、栓を開放することで、水抜き空間にたまりすぎた水を容易に排水することができる。
なお、排水は、定期的に行うことが好ましい。すなわち、定期的に排水することで、細菌が発生しにくい環境を保つことができる。
【００３９】
この植物栽培装置３は、摺動脚４２を備えており、固定脚４１側が少し浮くように、傾ければ、キャスター輪４２ｂにのみ荷重がかかり、床面にそって容易に動かせる。
また、必要な場所に移動させたのち、固定脚４１の脚キャップ４１ｂを床面等に接地させれば、脚キャップ４１ｂがゴムあるいは樹脂エラストマーで形成されているので、滑りが防止される。
【００４０】
本発明は、上記の実施の形態に限定されない。例えば、上記の実施の形態では、通気用凸部が基板部に２つであったが、３つ以上でも構わない。
上記の実施の形態では、基板部が平面視略長方形であったが、プランター本体の形状に応じて、正方形でも、楕円形でも、円形でも、五角形以上の多角形でも構わない。
【００４１】
上記の実施の形態では、プランター本体内に２枚のすのこ状部材が敷かれていたが、プランターの大きさに応じて１枚でも構わないが、３枚以上組み合わせてもよいし、基板部の形状や大きさの異なるすのこ状部材を組み合わせてもよい。
上記の実施の形態では、のこ状部材の各脚部に８つのスリットが形成され、各通気用凸部に６つのスリットが形成されていたが、脚部のスリットと、通気用凸部のスリットが同数であっても構わない。また、脚部や通気用凸部毎にスリットの数が異なっていても構わない。また、成形性を損なわなければ，スリットに代えて、丸孔や角孔を多数設けるようにしても構わない。
【符号の説明】
【００４２】
１  すのこ状部材
１１  基板部
１２  脚部
１３  通気用凸部
１１ａ  水抜き孔
１２ａ  スリット
１３ａ  スリット
２  プランター
２１  プランター本体
２２  フランジ部
２３  リブ
２４  排水孔
３  植物栽培装置
４  支持脚部４
４１  固定脚
４１ａ  脚本体
４１ｂ  脚キャップ４１ｂ
４１ｃ  上部連結パイプ
４１ｄ  下部連結パイプ
４２  摺動脚
４２ａ  脚本体
４２ｂ  キャスター輪
４２ｃ  上部連結パイプ
４２ｄ  下部連結パイプ
４３  プランター受けパイプ
５  ＬＥＤ照明装置
５１  装置本体
５１ａ  ケーシング
５１ｂ  ＬＥＤライト
５２  支柱
６  棚板
７  植物
Ｓ  水抜き空間
【図１】
2016202138.tif 000003
【図２】
2016202138.tif 000004
【図３】
2016202138.tif 000005
【図４】
2016202138.tif 000006
【図５】
2016202138.tif 000007
【図６】
2016202138.tif 000008